(57)【要約】【課題】複数のカードをコネクタに同時に装着する操作を安価でかつ簡易な手段で防止することができるカードコネクタを提供する。【解決手段】カードコネクタ１０は、カードを挿入する挿入部１２ａ、１２ｂの境界部分のハウジング１４の壁に形成される開口部１８に係止部２０が設けられる。係止部２０は、回動体２２と回動体２２を回動可能に軸支する軸体２４で構成される。回動体２２は、カードを挿入していない状態において、回動体２２の一部が２つの挿入部１２ａ、１２ｂの双方またはいずれか一方に進入する形状、大きさに形成される。カードＡを挿入部１２ｂに挿入した状態において、カードＡに押されて回動してまたは動きを規制されて、回動体２２の一部がカードＡを挿入していない挿入部１２ａに進入、露出し、挿入部１２ａへの他のカードの挿入が阻止される。【選択図】図１
0003115307.tif 000002
【実用新案登録請求の範囲】
【請求項１】
水平方向または垂直方向に隣り合う、それぞれカードを挿入する２つの挿入部を有するハウジングと、該２つの挿入部内にそれぞれ設けられる２つのコンタクト端子群を備えるカードコネクタにおいて、
該２つの挿入部の境界部分の、カード挿入方向に沿ったハウジングの壁に形成される開口部に、回動体と該回動体を回動可能に該壁に軸支する軸体からなる係止部を有し、
該回動体は、該２つの挿入部のいずれにもカードを挿入していない状態において、該回動体の一部が該２つの挿入部の双方またはいずれか一方に進入する形状に形成され、該２つの挿入部のいずれか一方にカードを挿入した状態において、カードに押されて回動してまたは動きを規制されて、カードを挿入していない側の挿入部に進入した該回動体の一部が該カードを挿入していない側の挿入部へのカードの挿入を阻止するように構成されてなることを特徴とするカードコネクタ。
【請求項２】
水平方向および垂直方向にそれぞれ２つ以下隣り合う、それぞれカードを挿入する３つまたは４つの挿入部を有するハウジングと、該３つまたは４つの挿入部内にそれぞれ設けられる３つまたは４つのコンタクト端子群を備えるカードコネクタにおいて、
該３つまたは４つの挿入部の境界部分の、カード挿入方向に沿ったハウジングの壁に形成される開口部に第１の係止部を有するとともに、垂直方向に隣り合う２つの挿入部の境界部分の、カード挿入方向に沿った、該第１の係止部の設けられる壁と対向するハウジングの壁に形成される開口部に１つまたは２つの第２の係止部を有し、
該第１の係止部および該第２の係止部は、それぞれ回動体と該回動体を回動可能に該壁に軸支する軸体からなり、
該第１の係止部の回動体は、該３つまたは４つの挿入部のいずれにもカードを挿入していない状態において、該回動体の一部が該３つまたは４つの挿入部の全てまたは水平方向に隣り合う挿入部のいずれか一方に進入する形状に形成され、水平方向に隣り合う挿入部のいずれか一方にカードを挿入した状態において、カードに押されて回動してまたは動きを規制されて、斜め上下方向を含めた水平方向に隣り合うカードを挿入していない挿入部に進入した該回動体の一部が該カードを挿入していない挿入部へのカードの挿入を阻止するように構成され、
該第２の係止部の回動体は、該３つまたは４つの挿入部のいずれにもカードを挿入していない状態において、該回動体の一部が垂直方向に隣り合う２つの挿入部の双方または垂直方向に隣り合う挿入部のいずれか一方に進入する形状に形成され、垂直方向に隣り合う挿入部のいずれか一方にカードを挿入した状態において、カードに押されて回動してまたは動きを規制されて、垂直方向に隣り合うカードを挿入していない挿入部に進入した該回動体の一部が該カードを挿入していない挿入部へのカードの挿入を阻止するように構成されてなることを特徴とするカードコネクタ。
【考案の詳細な説明】
【技術分野】
【０００１】
本考案は、カードを挿入、装着する２つ以上の挿入部を有するカードコネクタに関するものである。
【背景技術】
【０００２】
携帯電話、デジタルカメラ、プリンタあるいはパソコン等の電子機器には、機能拡張等を目的として、ＣＰＵやＩＣが内蔵されたカードを着脱可能に装着することができるコネクタが備えられる。
【０００３】
コネクタは、ハウジング内に複数のコンタクト端子からなるコンタクト端子群が設けられ、各コンタクト端子の一端側は電子機器側の回路に接続される。各コンタクト端子の他端側は、挿入部（挿入空間、収容空間）に挿入されたカードの先端に形成された複数の接触パッドの対応する分に接触する。これにより、接触パッドとコンタクト端子とが電気的に接続され、カードと電子機器との間で電気信号の転送等が行われる。
【０００４】
カードは、種類によって外形や厚み等が異なるため、コネクタは、特定のカードのみを挿入し、使用することができる専用品が一般的に用いられる。そして、電子機器で種類の違うカードを使用する場合には、カードの数だけの複数の専用コネクタを水平方向あるいは垂直方向に並べて電子機器に装着するか、あるいは、種類の異なるカードを挿入することができる複数の挿入部を形成した１つのコネクタを電子機器に装着することが行われている。
【０００５】
上記いずれの方式のコネクタを用いる場合においても、電子機器の使用者が、１つのカードを対応する専用コネクタの挿入部、あるいは１つのコネクタの専用の挿入部に挿入した状態で、例えば勘違い等して、他の専用コネクタの挿入部、あるいは１つのコネクタの他の専用の挿入部にさらに別のカードを挿入してしまうことが起こりうる。
【０００６】
上記のようにコネクタに複数のカードを挿入した状態では、複数のカードにそれぞれ記憶されたデータが同時に電子機器側に伝送され、これにより、電子機器のシステムに影響することが起こりうる。
このため、例えば、電気信号を電子機器側で制御できるようなハードやソフトを電子機器に設け、電子機器のシステムへの影響を回避する方法が採用されている。
【考案の開示】
【考案が解決しようとする課題】
【０００７】
しかしながら、上記従来の方法では、電子機器に設けるハードやソフトの費用負担が大きく、また、ハードやソフトが電子機器の構造を複雑化することも起こりうる。
【０００８】
本考案は、上記の課題に鑑みてなされたものであり、複数のカードをコネクタに同時に装着する操作を安価でかつ簡易な手段で防止することができるカードコネクタを提供することを目的とする。
【課題を解決するための手段】
【０００９】
本考案に係るカードコネクタは、
水平方向または垂直方向に隣り合う、それぞれカードを挿入する２つの挿入部を有するハウジングと、該２つの挿入部内にそれぞれ設けられる２つのコンタクト端子群を備えるカードコネクタにおいて、
該２つの挿入部の境界部分の、カード挿入方向に沿ったハウジングの壁（挿入部間に形成される空間に露出するものであってもよい）に形成される開口部に、回動体と該回動体を回動可能に該壁に軸支する軸体からなる係止部を有し、
該回動体は、該２つの挿入部のいずれにもカードを挿入していない状態において、該回動体の一部が該２つの挿入部の双方またはいずれか一方に進入する形状に形成され、該２つの挿入部のいずれか一方にカードを挿入した状態において、カードに押されて回動してまたは動きを規制されて、カードを挿入していない側の挿入部に進入した該回動体の一部が該カードを挿入していない側の挿入部へのカードの挿入を阻止するように構成されてなることを特徴とする。
【００１０】
また、本考案に係るカードコネクタは、
水平方向および垂直方向にそれぞれ２つ以下隣り合う、それぞれカードを挿入する３つまたは４つの挿入部を有するハウジングと、該３つまたは４つの挿入部内にそれぞれ設けられる３つまたは４つのコンタクト端子群を備えるカードコネクタにおいて、
該３つまたは４つの挿入部の境界部分の、カード挿入方向に沿ったハウジングの壁に形成される開口部に第１の係止部を有するとともに、垂直方向に隣り合う２つの挿入部の境界部分の、カード挿入方向に沿った、該第１の係止部の設けられる壁と対向するハウジングの壁に形成される開口部に１つまたは２つの第２の係止部を有し、
該第１の係止部および該第２の係止部は、それぞれ回動体と該回動体を回動可能に該壁に軸支する軸体からなり、
該第１の係止部の回動体は、該３つまたは４つの挿入部のいずれにもカードを挿入していない状態において、該回動体の一部が該３つまたは４つの挿入部の全てまたは水平方向に隣り合う挿入部のいずれか一方に進入する形状に形成され、水平方向に隣り合う挿入部のいずれか一方にカードを挿入した状態において、カードに押されて回動してまたは動きを規制されて、斜め上下方向を含めた水平方向に隣り合うカードを挿入していない挿入部に進入した該回動体の一部が該カードを挿入していない挿入部へのカードの挿入を阻止するように構成され、
該第２の係止部の回動体は、該３つまたは４つの挿入部のいずれにもカードを挿入していない状態において、該回動体の一部が垂直方向に隣り合う２つの挿入部の双方または垂直方向に隣り合う挿入部のいずれか一方に進入する形状に形成され、垂直方向に隣り合う挿入部のいずれか一方にカードを挿入した状態において、カードに押されて回動してまたは動きを規制されて、垂直方向に隣り合うカードを挿入していない挿入部に進入した該回動体の一部が該カードを挿入していない挿入部へのカードの挿入を阻止するように構成されてなることを特徴とする。
【考案の効果】
【００１１】
本考案のカードコネクタは、隣り合う挿入部の境界部分のハウジングの壁に回動体と回動体を回動可能に壁に軸支する軸体からなる係止部を設け、カードを挿入した挿入部以外の挿入部に係止部の一部が進入して他のカードの挿入を阻止するため、複数のカードをコネクタに同時に装着する操作を安価でかつ簡易な手段で防止することができるという利点がある。
【考案を実施するための最良の形態】
【００１２】
本考案に係るカードコネクタの実施の形態について、図を参照して以下に説明する。
【００１３】
まず、本考案の第１の実施の形態例について、図１〜図３Ａ、図３Ｂを参照して説明する。
第１の実施の形態例に係るカードコネクタ１０は、図１に示すように、水平方向（図１中、Ｘ１−Ｘ１方向）、言い換えれば、コネクタの主面の延出方向に隣り合う、それぞれカードを挿入する２つの挿入部１２ａ、１２ｂを有するハウジング１４と、２つの挿入部１２ａ、１２ｂ内にそれぞれ設けられる２つのコンタクト端子群１６ａ、１６ｂを備える。なお、図１では、挿入部１２ａを覆うハウジング１４の天板部分を開放し、また、挿入部１２ｂにカード（図中、矢印Ａで示す。）を挿入した状態を表示している。この場合、図１に示すように２つの挿入部１２ａ、１２ｂの境界部分を、ハウジング１４の壁で完全に仕切った形態にしてもよく、また、壁の大半を省略して挿入部１２ａ、１２ｂの空間が連通する形態にしてもよい。
上記本考案の第１の実施の形態例にかかわらず、本考案では、カードを挿入する１つの挿入部を有するハウジングを備えたカードコネクタを２つ接続した構造のものも含む。この点は、以下の他の実施の形態例でも同様である。
【００１４】
先に従来例で説明したように、コンタクト端子群１６ａ、１６ｂの各コンタクト端子の一端側は電子機器（図示せず。）側の回路に接続される。各コンタクト端子の他端側は、挿入部に挿入されたカードの先端に形成された複数の接触パッド（図示せず。）のうちの対応する接触パッドに接触する。これにより、接触パッドとコンタクト端子とが電気的に接続され、カードと電子機器との間で電気信号の転送等が行われる。
ここで、カードコネクタ１０に挿入、装着されるカードとしては、メモリースティック（登録商標）、マルチメディアカード（登録商標）、スマートメディア（登録商標）、コンパクトフラッシュ（登録商標）、ＳＤカード（Secure  Digital  memory  card：登録商標）等のように、ＣＰＵあるいはメモリー用のＩＣが内蔵されたＩＣカードが挙げられる。
【００１５】
カードコネクタ１０は、２つの挿入部１２ａ、１２ｂの境界部分の、カード挿入方向（図１中、Ｙ１−Ｙ１方向）に沿ったハウジング１４の壁に形成される開口部１８に係止部２０が設けられる。係止部２０を設ける開口部１８は、２つの挿入部１２ａ、１２ｂのスロット（開口）近傍に形成してもよく、あるいはまた、スロットと２つの挿入部１２ａ、１２ｂの最奥部の間の適宜の位置に形成してもよい。但し、２つの挿入部１２ａ、１２ｂに挿入される２つのカードのうちで挿入方向の長さ寸法の短いカードが挿入状態において係止部２０に係合する位置に設ける。
係止部２０は、回動体２２と回動体２２を回動可能にハウジング１４の壁に軸支する軸体２４で構成される。この場合、軸体２４は、分解組み立て可能に形成される上下ハウジング半体のうちの下ハウジング半体に設けられた突起であり、回動体２２に形成される回動中心の孔に突起が緩挿される。そして、コネクタを組み立てるときに、上ハウジング半体を下ハウジング半体に重ね合わせることにより、上ハウジング半体に回動体２２の孔から突出する突起の頭が当接する。
係止部２０は、例えば図２Ａに示すように、係止部２０ａの回動体２２ａが段差状に形成され、あるいはまた図２Ｂに示すように係止部２０ｂの回動体２２ｂがアングル状に形成される。この場合、回動体２２を２つの回動体半体で構成し、２つの回動体半体が相互に一部が嵌合あるいは接合されて、一体化される構造としてもよい。また、回動体２２の形状も本考案の効果を奏するものである限り、例えば断面円弧形状の柱体等の適宜の形状に形成してもよい。なお、係止部２０は、例えば、硬質樹脂や金属等の適宜の材料で形成することができる。また、軸体２４として、ねじを用い、回動体２２を、カードを挿入するときの力によって回動できる程度にルース（緩く）に軸体２４に緩挿した状態で下ハウジング半体の壁に取り付けてもよい。これらの点は、以下の他の実施の形態例でも同様である。
【００１６】
回動体２２は、２つの挿入部１２ａ、１２ｂのいずれにもカードを挿入していない状態において、回動体２２の一部、この場合、回動体半体２２ａ、２２ｂのそれぞれの端部が２つの挿入部１２ａ、１２ｂの双方またはいずれか一方に進入、露出する形状、大きさに形成される。回動体２２の形状、大きさを開口部１８内に完全に収まるように形成すると、後述するように、カードを２つの挿入部１２ａ、１２ｂのいずれか一方にカードを挿入した状態において、仮にカードによって回動体２２が押されたとしても、回動体２２の全部が開口部１８内に止まり、カードを挿入していない側の挿入部に回動体２２の一部が進入することがなく、本考案の効果を奏さないためである。
【００１７】
上記のように構成されるカードコネクタ１０は、例えば、図１および図３Ａに示すように、カードＡを挿入部１２ｂに挿入した状態において、カードＡに押されて時計回り方向に回動してまたは動きを規制されて、回動体２２の一部がカードＡを挿入していない挿入部１２ａに進入、露出する。
この状態で、挿入部１２ａに別のカード（図３中、矢印Ｂで示す。)を挿入しようとしても、カードの先端エッジ部分が挿入部１２ａに進入、露出した回動体２２の一部に当たり、挿入部１２ａへのカードＢの挿入が阻止される。
【００１８】
これにより、挿入部１２ｂにカードＡを挿入した状態で、誤ってあるいは故意に挿入部１２ａへカードを挿入しようとしても、係止部２０によって挿入が阻止されるため、複数のカードにそれぞれ記憶されたデータが同時に電子機器側に伝送され、電子機器のシステムに影響する不具合を回避することができる。
なお、上記の場合とは逆に、図３Ｂに示すように、カードコネクタ１０の挿入部１２ａにカードＢを挿入した状態で、挿入部１２ｂにカードＡを挿入しようとするときも、反時計回り方向に回動した回動体２２により、上記と同様の作用効果を奏する。
【００１９】
つぎに、本考案の第２の実施の形態例について、図４を参照して説明する。
第２の実施の形態例に係るカードコネクタ１０ａは、コネクタを係止部のある位置で垂直方向（図４中、Ｚ１−Ｚ１方向）に破断して表示した正面断面図である図４に示すように、垂直方向、言い換えれば、コネクタの主面の延出方向に対して垂直方向に隣り合う位置に、２つの挿入部１２ｃ、１２ｄが設けられたものである。この場合、２つの挿入部１２ｃ、１２ｄの境界部分を、図４に示すように、空間が連通するようにハウジング１４の壁の大半を省略した形態にしてもよく、また、壁で２つの挿入部１２ｃ、１２ｄを完全に仕切った形態にしてもよい。なお、図４および以下の実施の形態例で用いる各図において、コンタクト端子群は図示を省いている。
【００２０】
カードコネクタ１０ａは、２つの挿入部１２ｃ、１２ｄの境界部分の、カード挿入方向に沿ったハウジング１４の壁に形成される開口部１８に係止部２０ｃが設けられる。係止部２０ｃは、第１の実施の形態例の係止部２０とはハウジング１４への軸体２４の取り付け方向が相違するのみであり、形状、構造は、係止部２０と同様とすることができる。
【００２１】
カードコネクタ１０ａは、上下方向に配置された２つの挿入部１２ｃ、１２ｄに誤操作等によって２つのカードを挿入しようとしたときに、第１の実施の形態例と同様の作用効果を得ることができる。
【００２２】
つぎに、本考案の第３の実施の形態例について、図５を参照して説明する。
第３の実施の形態例に係るカードコネクタ１０ｂは、コネクタを垂直方向（図５中、Ｚ２−Ｚ２方向）に破断して表示した正面断面図である図５に示すように、ハウジング１４の水平方向（図５中、Ｘ２−Ｘ２方向）および垂直方向にそれぞれ２つ隣り合う、それぞれカードを挿入する４つの挿入部１２ｅ〜１２ｈが形成される。この場合、４つの挿入部１２ｅ〜１２ｈの境界部分を、空間が連通するようにハウジング１４の壁の大半を省略した形態にしてもよく、また、壁で完全に仕切った形態にしてもよい。
【００２３】
カードコネクタ１０ｂは、４つの挿入部１２ｅ〜１２ｈの境界部分の、カード挿入方向に沿ったハウジング１４の壁に形成される開口部に係止部（第１の係止部）２０ｄが設けられる。また、垂直方向に隣り合う２つの挿入部１２ｆ、１２ｇおよび２つの挿入部１２ｇ、１２ｈのそれぞれの境界部分の、カード挿入方向に沿った、係止部２０ｄの設けられる壁と対向するハウジング１４の壁に形成される開口部にそれぞれ係止部（第２の係止部）２０ｅ、２０ｆが設けられる。
係止部２０ｄおよび係止部２０ｅ、２０ｆは、いずれも第１の実施の形態例の係止部２０あるいは第２の実施の形態例の係止部２０ｃと同様の形態に形成することができる。但し、係止部２０ｄは、４つの挿入部１２ｅ〜１２ｈの全てに十分に進入できるだけの大きさに形成される。
【００２４】
上記のように構成される第３の実施の形態例に係るカードコネクタ１０ｂは、例えば挿入部１２ｈにカードＡを挿入すると、カードＡに押されて、係止部２０ｄの一部が挿入部１２ｅおよび挿入部１２ｆ内に進入、露出するとともに、係止部２０ｆの一部が挿入部１２ｇ内に進入、露出する。
上記の状態で、例えば、挿入部１２ｅまたは挿入部１２ｆに別のカードを挿入しようとすると、カードの先端エッジ部分が挿入部１２ｅおよび挿入部１２ｆに進入した係止部２０ｄの一部に当たり、いずれも挿入が阻止される。一方、挿入部１２ｇに別のカードを挿入しようとすると、カードの先端エッジ部分が挿入部１２ｇに進入した係止部２０ｆの一部に当たり、挿入が阻止される。
すなわち、４つの挿入部１２ｅ〜１２ｈのうちのいずれか１つの挿入部にカードを挿入すると、係止部２０ｄ〜係止部２０ｆのいずれかによって、カードを挿入していない他の挿入部へのカードの挿入が確実に阻止される。
これにより、誤操作等によって複数のカードを挿入しようとしたときに、第１または第２の実施の形態例と同様の作用効果を得ることができる。
【００２５】
つぎに、本考案の第４の実施の形態例について、図６を参照して説明する。
第４の実施の形態例に係るカードコネクタ１０ｃは、第３の実施の形態例に係るカードコネクタ１０ｂにおいて、挿入部１２ｅに相当する部分が省略され、斜め上下方向を含めて水平方向に隣り合う３つの挿入部１２ｉ〜１２ｋを備える。
図７中、コネクタの左側には１つの挿入部１２ｉのみが設けられ、垂直方向に隣り合う挿入部がないため、第３の実施の形態例に係るカードコネクタ１０ｂの係止部２０ｅに相当する係止部も省略され、２つの係止部２０ｇ、２０ｈのみ備える。この場合、３つの挿入部１２ｉ〜１２ｋの境界部分を、空間が連通するようにハウジング１４の壁の大半を省略した形態にしてもよく、また、壁で完全に仕切った形態にしてもよい。
【００２６】
係止部２０ｈは、第３の実施の形態例に係るカードコネクタ１０ｂの係止部２０ｅまたは２０ｆと同様の構造を有する。これに対して、係止部２０ｇは、第３の実施の形態例に係るカードコネクタ１０ｂの係止部２０ｄと異なり、回動体２２ｃの上部が、回動したときでもコネクタの壁の開口部内に収まるように、水平方向に狭い幅に形成される。但し、壁の開口部を左方向に連通する窓状に形成してもよく、この場合は、上記の回動体２２ｃの形状面での制限はない。
【００２７】
上記のように構成されるカードコネクタ１０ｃが第３の実施の形態例に係るカードコネクタ１０ｂ等と同様の作用効果を奏することは明らかである。
【図面の簡単な説明】
【００２８】
【図１】本考案の第１の実施の形態例に係るカードコネクタの平面図であり、ハウジングの一部を開いて示す。
【図２Ａ】本考案の第１の実施の形態例に係るカードコネクタに用いる係止部の一例の斜視図である。
【図２Ｂ】本考案の第１の実施の形態例に係るカードコネクタに用いる係止部の他の一例の斜視図である。
【図３Ａ】図１の状態から、さらに２枚目のカードをコネクタに挿入するときのコネクタの作用を説明するための図である。
【図３Ｂ】図３Ａとは反対側の挿入部に先にカードを挿入した状態から、さらに２枚目のカードをコネクタに挿入するときのコネクタの作用を説明するための図である。
【図４】第２の実施の形態例に係るカードコネクタを破断して示す正面断面図である。
【図５】第３の実施の形態例に係るカードコネクタを破断して示す正面断面図である。
【図６】第４の実施の形態例に係るカードコネクタを破断して示す正面断面図である。
【符号の説明】
【００２９】
１０、１０ａ、１０ｂ、１０ｃ  カードコネクタ
１２ａ、１２ｂ、１２ｃ、１２ｄ、１２ｅ、１２ｆ、１２ｇ、１２ｈ、１２ｉ、１２ｊ、
１２ｋ  挿入部
１４  ハウジング
１６ａ、１６ｂ  コンタクト端子群
２０、２０ａ、２０ｂ、２０ｃ、２０ｄ、２０ｅ、２０ｆ、２０ｇ、２０ｈ  係止部
２２  ２２ａ、２２ｂ、２２ｃ  回動体
２４  軸体    
【図１】
0003115307.tif 000003
【図２Ａ】
0003115307.tif 000004
【図２Ｂ】
0003115307.tif 000005
【図３Ａ】
0003115307.tif 000006
【図３Ｂ】
0003115307.tif 000007
【図４】
0003115307.tif 000008
【図５】
0003115307.tif 000009
【図６】
0003115307.tif 000010